(57)【要約】      （修正有）【課題】風が弱いときの風力発電装置の補助駆動源として、永久磁石同士の磁力を利用し、風力発電装置全体の構造の簡単化と自然エネルギのさらなる有効利用を図る。【解決手段】発電機用の主軸３０を中心とする円状部分に、永久磁石１２ｂを等間隔でその接線方向に対して傾斜配置した中央回転部１２と、当該円上部分の外側で固定軸１３ｃを中心とする別の円状部分に、永久磁石１３ｂを等間隔でその接線方向に対して傾斜配置した一対の外側小回転部１３と、を設けた。永久磁石１２ｂと永久磁石１３ｂは、互いに近づいたときに同極面同士が対向する形で傾斜配置されているので、互いに反発して離れようとする。この離間しようとうする力が、中央回転部１２と外側小回転部１３とを、ワンウェイクラッチ１３ｄで特定される方向に継続回転させる。【選択図】図２
2008045528.tif 000002
【特許請求の範囲】
【請求項１】
風が弱いときの発電機の駆動源として、もっぱら永久磁石同士の磁力に基づいて回転する補助回転機構を用いるようにした風力発電装置であって、
前記補助回転機構は、
複数の永久磁石が、前記発電機用の回転軸を中心とする第１の円状に等間隔でその接線方向に対して傾斜配置された回転部と、
複数の永久磁石が、前記第１の円状の外側の、第１の固定軸を中心とする第２の円状に等間隔でその接線方向に対して傾斜配置された外側回転部と、
前記第１の固定軸および前記外側回転部の間に設けられて風力による前記回転軸の本来の回転に対応した方向に作用する第１のワンウェイクラッチと、を少なくとも備え、
前記回転部の永久磁石と前記外側回転部の永久磁石とは、互いに近づいたときに同極面同士が対向する形で傾斜配置されている、
ことを特徴とする風力発電装置。
【請求項２】
前記外側回転部は、前記回転軸を中心にした対称位置にそれぞれ設けられている、
ことを特徴とする請求項１記載の風力発電装置。
【請求項３】
前記第１の円状の内側に設けられて、複数の永久磁石が、第２の固定軸を中心とする第３の円状に等間隔でその接線方向に対して傾斜配置された内側回転部と、
前記第２の固定軸および前記内側回転部の間に設けられて風力による前記回転軸の本来の回転に対応した方向に作用する第２のワンウェイクラッチと、をさらに備え、
前記回転部の永久磁石と前記内側回転部の永久磁石とは、互いに近づいたときに逆極面同士が対向する形で傾斜配置されている、
ことを特徴とする請求項１または２記載の風力発電装置。
【請求項４】
前記回転軸および前記回転部の間に、風に基づく回転力が小さくなったときに当該回転部の回転力が当該回転軸に伝達されるように作用する第３のワンウェイクラッチが設けられている、
ことを特徴とする請求項１乃至３のいずれかに記載の風力発電装置。
【発明の詳細な説明】
【技術分野】
【０００１】
本発明は、風力発電装置に関し、特に風が弱いときの発電機の駆動源として、もっぱら永久磁石同士の磁力に基づいて回転する補助回転機構を用いるようにした風力発電装置に関する。
【背景技術】
【０００２】
風力発電における補助駆動源としてＤＣモータによって駆動される永久磁石回転機構を利用することが提案されている（特許文献１，２参照）。
【０００３】
この永久磁石回転構は、特許文献２の図１，図３，図４や図５で示されるように、歯車〔１６〕,〔１８〕を介してＤＣモータ〔１７〕により駆動される回転極〔１〕に永久磁石〔８〕を配置し、また、当該回転極と同軸の固定極〔２〕に永久磁石〔９〕,〔１０〕を配置した形になっている。
【０００４】
【特許文献１】特開２００２−３１０３３号公報
【特許文献２】特開平１０−１４２１２号公報
【発明の開示】
【発明が解決しようとする課題】
【０００５】
以上の風力発電装置では、発電機のロータに対する風力の補助駆動源としてあくまでＤＣモータ付きの永久磁石回転機構を用いており、いわゆる自然エネルギの最大限の有効利用という点で改善の余地を残したものとなっている。
【０００６】
本発明は、風が弱いときの発電機の駆動源として、もっぱら永久磁石同士の磁力に基づいて回転する補助回転機構を用いる風力発電装置を提供することを目的とする。
【０００７】
本件出願人は、これら回転側永久磁石および固定側永久磁石のさまざまな配置関係における当該回転側と当該固定側との間の磁気的作用を調べたところ、それぞれの磁石（回転側永久磁石と固定側永久磁石）を後述のような所定の態様で配置すれば、ＤＣモータなどの（永久磁石に対する）駆動源を用いなくても風力発電の補助駆動源としての永久磁石回転機構を構成できることを検証した。
【課題を解決するための手段】
【０００８】
本発明は以上の課題を、次の構成要件からなる風力発電装置を用いることにより解決する。
（１）風が弱いときの発電機の駆動源として、もっぱら永久磁石同士の磁力に基づいて回転する補助回転機構（例えば後述の永久磁石回転機構１０，１０’）を用いるようにした風力発電装置であって、
前記補助回転機構は、
複数の永久磁石（例えば後述の永久磁石１２ｂ）が、前記発電機用の回転軸（例えば後述の主軸３０）を中心とする第１の円状に等間隔でその接線方向に対して傾斜配置された回転部（例えば後述の中央回転部１２）と、
複数の永久磁石（例えば後述の永久磁石１３ｂ）が、前記第１の円状の外側の、第１の固定軸（例えば後述の固定軸１３ｃ）を中心とする第２の円状に等間隔でその接線方向に対して傾斜配置された外側回転部（例えば後述の外側小回転部１３）と、
前記第１の固定軸および前記外側回転部の間に設けられて風力による前記回転軸の本来の回転に対応した方向に作用する第１のワンウェイクラッチ（例えば後述のワンウェイクラッチ１３ｄ）と、を少なくとも備え、
前記回転部の永久磁石（例えば後述の永久磁石１２ｂ）と前記外側回転部の永久磁石（例えば後述の永久磁石１３ｂ）とは、互いに近づいたときに同極面同士が対向する形で傾斜配置されている、
ことを特徴とする風力発電装置
（２）上記（１）において、
前記外側回転部は、前記回転軸を中心にした対称位置にそれぞれ設けられている、
ことを特徴とする風力発電装置
（３）上記（１），（２）において、
前記第１の円状の内側に設けられて、複数の永久磁石（例えば後述の永久磁石１４ｂ）が、第２の固定軸（例えば後述の固定軸１４ｃ）を中心とする第３の円状に等間隔でその接線方向に対して傾斜配置された内側回転部（例えば後述の内側小回転部１３）と、
前記第２の固定軸および前記内側回転部の間に設けられて風力による前記回転軸の本来の回転に対応した方向に作用する第２のワンウェイクラッチ（例えば後述のワンウェイクラッチ１４ｄ）と、をさらに備え、
前記回転部の永久磁石（例えば後述の永久磁石１２ｂ）と前記内側回転部の永久磁石（例えば後述の永久磁石１４ｂ）とは、互いに近づいたときに逆極面同士が対向する形で傾斜配置されている、
ことを特徴とする風力発電装置
（４）上記（１）〜（３）において、
前記回転軸（例えば後述の主軸３０）および前記回転部（例えば後述の中央回転部１２）の間に、風に基づく回転力が小さくなったときに当該回転部の回転力が当該回転軸に伝達されるように作用する第３のワンウェイクラッチ（例えば後述のワンウェイクラッチ１２ｃ）が設けられている、
ことを特徴とする風力発電装置
【発明の効果】
【０００９】
本発明は、以上のように風力発電装置における風が弱いときの発電機駆動源として永久磁石同士の磁力のみに基づいて回転する補助回転機構を用いるので、風力発電装置全体の構造の簡単化を図り、また、自然エネルギのより一層の有効利用を図ることができる。
【発明を実施するための最良の形態】
【００１０】
図１乃至図７を用いて本発明を実施するための最良の形態を説明する。
【００１１】
ここで、
図１は、風力発電装置全体の外観〔(a)は平面図，(b)は側面図〕を示し、
図２は、風力発電装置の永久磁石回転機構（その１）などの斜視図を示し、
図３は、図２の永久磁石回転機構などの断面図を示し、
図４は、図２の永久磁石回転機構の要部正面図（断面図）を示し、
図５は、風力発電装置の永久磁石回転機構（その２）などの断面図を示し、
図６は、図５の永久磁石回転機構の要部正面図（断面図）を示し、
図７は、角状タイプの永久磁石（長方形状）単体を示している。
【００１２】
なお、下記の永久磁石回転機構１０，１０’は「１０番台」の参照番号を付した各構成要素からなっている。
【００１３】
また、以下のアルファベット付き参照番号の構成要素（例えば円板状基部１２ａ）は原則として、当該参照番号の数字部分の構成要素（例えば中央回転部１２）の一部であることを示している。
【００１４】
図１〜図６において、
１０は本発明の骨子をなす永久磁石回転機構（その１：図２〜図４で使用），
１０’は本発明の骨子をなす永久磁石回転機構（その２：図５，図６で使用），
１１は後述のカバー５０に取り付けられたフレーム，
１２は図示Ａ方向に回転する中央回転部，
１２ａは円板状であってその周面（端面）が鋸歯状部分を有するように形成された円板状基部，
１２ｂは当該周面に所定の態様（図４，図６参照）で接着剤などによって取り付けられたそれぞれ同一サイズの長方形状（角状タイプ）の計１６枚の永久磁石，
１２ｃは後述の主軸３０に対する周知のワンウェイクラッチ，
１３は中央回転部１２の外側に配設された一対の外側小回転部，
１３ａは円柱状であってその外周面にテーパ状の段部が繰り返す態様で形成された円柱状基部，
１３ｂは当該外周面に所定の態様（図４，図６参照）で接着剤などよって取り付けられたそれぞれ同一サイズの長方形状（角状タイプ）の計３２枚（＝１６×２）の永久磁石，
１３ｃはフレーム１１に形成されて円柱状基部１３ａの中央貫通域を受ける固定軸，
１３ｄは当該中央貫通域と当該固定軸との間に設けられて外側小回転部１３をそれぞれ図示Ｂ方向のみに回転させるための周知のワンウェイクラッチ，
１３ｅは円柱状基部１３ａの一方の端部側に形成されたプーリ，
１３ｆは一対の当該プーリを同期させるためのタイミングベルト，
１４は中央回転部１２の内側に配設された一対の内側小回転部（図５，図６で使用），
１４ａは円柱状であってその外周面にテーパ状の段部が繰り返す態様で形成された円柱状基部，
１４ｂは当該外周面に所定の態様（図６参照）で接着剤などよって取り付けられたそれぞれ同一サイズの長方形状（角状タイプ）の計１６枚（＝８×２）の永久磁石，
１４ｃはフレーム１１に形成されて円柱状基部１４ａの中央貫通域を受ける固定軸，
１４ｄは当該中央貫通域と当該固定軸との間に設けられて内側小回転部１４をそれぞれ図示Ａ方向のみに回転させるための周知のワンウェイクラッチ，
１５は永久磁石回転機構１０，１０’で使用する永久磁石のテーパ状端部（図７参照）
２０は風力により回転する例えば３枚のプロペラ，
３０はプロペラ２０の回転基部と結合している主軸，
４０は主軸３０と連動する形で発電用のロータが駆動される周知の発電機，
５０はフレーム１１や発電機４０などに対するカバー，
６０はカバー５０のプロペラ２０とは反対側の部分に取り付けられてプロペラ２０を風上の方に向けるといった作用を呈する周知の尾翼，
７０はカバー５０が回動可能な形で支持されている支柱，
Ａは主軸３０，中央回転部１２および内側小回転部１４の回転方向，
Ｂは外側小回転部１３の回転方向，
Ｄ１は中央回転部１２の実質的直径（図４参照），
Ｄ２は外側小回転部１３の実質的直径（図４参照），
Ｄ３は内側小回転部１４の実質的直径（図６参照），
ｇ１は中央回転部１２の仮想円と外側小回転部１３の仮想円との最小間隔（図４参照），
ｇ２は中央回転部１２の仮想円と内側小回転部１４の仮想円との最小間隔（図６参照），
ｔは各永久磁石の厚み（図７参照），
Ｗは各永久磁石の幅（図７参照），
をそれぞれ示している。
【００１５】
本発明の風力発電装置は、発電機６０のロータ駆動用の主軸３０に対しての風力に基づく回転力が小さくなった段階で、永久磁石回転機構１０，１０’の回転力がワンウェイクラッチ１２ｃを介して当該主軸に伝達されるようにしたものである。
【００１６】
すなわち、主軸３０に対する駆動力としては、
(1)プロペラ２０からいわばダイレクトに受けてそのときの風速・風力に応じた大きさの主回転力
(2)永久磁石回転機構１０，１０’からワンウェイクラッチ１２ｃを介する形で受けて略一定の大きさの補助回転力
が用いられる。
【００１７】
ここで周知のワンウェイクラッチ１２ｃは、プロペラ２０からの主回転力が永久磁石回転機構１０，１０’からの補助回転力よりも小さくなった段階で、中央回転部１２を主軸３０に連結させる。
【００１８】
図２〜図４の永久磁石回転機構（その１）は、１６枚の同一形状の永久磁石からなる中央回転部１２と、それぞれ１６枚の同一形状の永久磁石からなる一対の外側小回転部１３とを有している。
【００１９】
ここで図２や図４からも明らかなように、一対の外側小回転部１３をそれぞれ（周知のワンウェイクラッチ１３ｄを介して）受ける各固定軸１３ｃは、主軸３０との同一平面上にこれら三軸が平行となる態様で配設されている。
【００２０】
永久磁石１２ｂおよび１３ｂ（図７参照）は、それぞれのＮ極面部分が外側であってテーパ状端部１５がプロペラ側からみて反時計方向（Ａ方向）の先部分となり、かつ、それぞれの長手方向（＝図７のＷ方向と直交する方向）が主軸３０や各固定軸１３ｃと同じ方向になる態様で、円板状基部１２ａおよび円柱状基部１３ａに取り付けられている。
【００２１】
そして図４などで明示されるように、これらの永久磁石１２ｂおよび１３ｂはいずれも円板状基部１２ａの周面（端面）および円柱状基部１３ａの外周面に均一的，規則的に配設されている。
【００２２】
すなわち、主軸３０や固定軸１３ｃと直交する断面において（図４参照）、
(11)主軸３０および固定軸１３ｃの中心を１６等分した「２２．５度」の中心角の扇状部分のそれぞれに一個の永久磁石１２ｂおよび１３ｂを対応させ、
(12)永久磁石１２ｂおよび１３ｂそれぞれのＮ極面部分を外側とし、
(13)永久磁石１２ｂおよび１３ｂそれぞれのテーパ状端部１５をＡ方向の先部分とし、
(14)永久磁石１２ｂそれぞれの斜傾配置角度を「６２度」とし、
(15)永久磁石１３ｂそれぞれの斜傾配置角度を「５２度」とした、
状態で配設されている。
【００２３】
なお、ここでの斜傾配置角度は図４に示すように、主軸３０または固定軸１３ｃの軸方向と直交する仮想平面における、当該永久磁石の各テーパ状端部１５（図７参照）と主軸３０，固定軸１３ｃの中心とを結ぶ径方向線と、当該永久磁石のＳ極面部分（またはＮ極面部分）を示す配置線との間の、当該径方向線から図４の（表側からみて）反時計方向に回るときの角度を示している。
【００２４】
本件出願人は、以上のように配設した永久磁石１２ｂ，１３ｂを搭載する中央回転部１２，外側小回転部１３や、円柱状基部１３ａおよび固定軸１３ｃに対するワンウェイクラッチ１３ｄなどを備えた永久磁石回転機構１０を室内（＝無風状態）において検証したところ、主軸３０が継続回転することを確認した。
【００２５】
これは、中央回転部１２の永久磁石１２ｂと外側小回転部１３の永久磁石１３ｂとは最短距離近くに位置する当該永久磁石の同極面（図示のものではＮ極面）同士がいわば対向するので互いに反発して離れようとし、この離間しようとうする力がワンウェイクラッチ１３ｄにより決まる特定方向のみに取り出されるものと考えられる。
【００２６】
なお、このワンウェイクラッチ１３ｄが円柱状基部１３ａと固定軸１３ｃとの間に取り付けられていない状態では、主軸３０の回転を確認できなかった。これは、円板状基部１２ａおよび円柱状基部１３ａの最短距離近くの永久磁石間には時計方向および反時計方向それぞれへの離間力が作用し、たがいに相殺されるものと考えられる。
【００２７】
図５および図６の永久磁石回転機構１０’は、図２〜図４における中央回転部１２および外側小回転部１３の他に、８枚の同一形状の永久磁石１４ｂからなる一対の内側小回転部１４を有している。
【００２８】
ここで、一対の内側小回転部１４をそれぞれ（周知のワンウェイクラッチ１４ｄを介して）受ける各固定軸１４ｃは、主軸３０および各固定軸１３ｃとの同一平面上にこれら五軸が平行となる態様で配設されている。
【００２９】
永久磁石１２ｂおよび１３ｂの円板状基部１２ａおよび円柱状基部１３ａに対する取付け・配設態様は図２〜図４のそれぞれと同一である。
【００３０】
他方、永久磁石１４ｂ（図７参照）は、それぞれのＮ極面部分が外側であってテーパ状端部１５がプロペラ側からみて時計方向（Ｂ方向）の先部分となり、かつ、それぞれの長手方向（＝図７のＷ方向と直交する方向）が各固定軸１４ｃと同じ方向になる態様で、円柱状基部１４ａに取り付けられている。
【００３１】
そして図６などで明示されるように、この永久磁石１４ｂはいずれも円柱状基部１４ａの外周面に均一的，規則的に配設されている。
【００３２】
すなわち、主軸３０や固定軸１４ｃと直交する断面において（図６参照）、
(21)固定軸１４ｃの中心を８等分した「４５度」の中心角の扇状部分のそれぞれに一個の永久磁石１４ｂを対応させ、
(22)永久磁石１４ｂそれぞれのＮ極面部分を外側とし、
(23)永久磁石１４ｂそれぞれのテーパ状端部１５をＢ方向の先部分とし、
(24)永久磁石１４ｂそれぞれの斜傾配置角度を「３２度」とした、
状態で配設されている。
【００３３】
このときの斜傾配置角度は図６に示すように、固定軸１４ｃの軸方向と直交する仮想平面における、永久磁石１４ｂそれぞれのテーパ状端部１５（図７参照）と固定軸１４ｃの中心とを結ぶ径方向線と、当該永久磁石のＳ極面部分（またはＮ極面部分）を示す配置線との間の、当該径方向線から図６の（表側からみて）時計方向に回るときの角度を示している。
【００３４】
図５および図６の永久磁石回転機構１０’の場合、
(31)中央回転部１２および外側小回転部１３は図２〜図４の永久磁石回転機構１０のそれと同じ方向に回転し、
(32)新設の内側小回転部１４は、その永久磁石１４ｂと中央回転部１２の永久磁石１２ｂとの最短距離近くに位置するものの異極面同士がいわば対向するので互いに吸引して当該中央回転部と同じＡ方向に回転する。すなわち、内側小回転部１４のワンウェイクラッチ１４ｄはＡ方向のみの回転を許容している。
【００３５】
図７に示すように、中央回転部１２，外側小回転部１３や内側小回転部１３で用いられる長方形状（角状タイプ）の永久磁石１２ｂ，１３ｂ，１４ｂはそれぞれ、Ｎ極性，Ｓ極性を持つ平面の一方の端部にテーパ状部が形成されている。以上の説明では、このテーパ状部を備えた方の平面をＮ極性としているが、これとは逆に当該平面をＳ極性としてもよい。
【００３６】
また、永久磁石１２ｂ，１３ｂ，１４ｂそれぞれの厚みｔ，幅Ｗの値は例えば概略、
・ｔ（永久磁石１２ｂ，１３ｂ，１４ｂ）＝５ｍｍ
・Ｗ（永久磁石１２ｂ）＝３８ｍｍ
・Ｗ（永久磁石１３ｂ）＝２０ｍｍ
・Ｗ（永久磁石１４ｂ）＝２２ｍｍ
である。なお、永久磁石１２ｂ，１３ｂ，１４ｂそれぞれの奥行き（図７のＮ極性平面またはＳ極性平面の上下方向の長さ）は、永久磁石回転機構１０，１０’に要求される回転や当該機構におけるサイズ上の制約などを考慮して任意に決定される項目となる。
【００３７】
永久磁石１２ｂ，１３ｂ，１４ｂの素材自体は既存のものを用いる。例えば信越化学工業株式会社製のレア・アースマグネットである信越サマリウム磁石Ｒシリーズや信越ネオジウム磁石Ｎシリーズなどである。
【００３８】
次に、永久磁石回転機構１０，１０’の中央回転部１２，外側小回転部１３および内側小回転部１４のいわば実質的直径であるＤ１，Ｄ２，Ｄ３（図４，図６参照）はそれぞれ例えば概略、
・Ｄ１（中央回転部１２）＝２００ｍｍ
・Ｄ２（外側小回転部１３）＝１００ｍｍ
・Ｄ３（内側小回転部１４）＝６０ｍｍ
となっている。図６におけるＤ１，Ｄ２（図示省略）も図４のそれと同値である。
【００３９】
この実質的直径とは主軸３０や固定軸１３ｃ，１４ｃを挟んで対向する永久磁石同士の一方のテーパ状端部１５と他方のそれとの間の長さである。そしてこの長さは、当該永久磁石同士の一方のテーパ状部の開始部分と他方のそれとの間の長さでもある。
【００４０】
このＤ１（中央回転部１２）の仮想円とＤ２（外側小回転部１３）の仮想円との間の最小間隔ｇ１（図４参照）は概略、「１０．５ｍｍ〜１６．５ｍｍ」に設定されている。この値はＤ２の略（１／１０〜１／６）」である。なお、図６におけるｇ１（図示省略）も図４のそれと同値に設定されている。
【００４１】
また、このＤ３（内側小回転部１４）の仮想円と、中央回転部１２の永久磁石１２ｂの最内部分に対応の仮想円との最小間隔ｇ２（図６参照）は概略、「３．５ｍｍ〜５．５ｍｍ」に設定されている。この値は最小間隔ｇ１の１／３である。
【００４２】
本発明が、図１〜図７で示した風力発電装置（永久磁石回転機構）に限定されないことは勿論である。
【００４３】
例えば、
(41)永久磁石１２ｂ，１３ｂ，１４ｂの形状，サイズや取付け枚数を変更する、
(42)外側小回転部１３や内側小回転部１４を一個にする。
(43)外側小回転部１３や内側小回転部１４を（図示のものと同じように）主軸３０に対して同一円上・等角度となるように三個以上設定する、例えば内側小回転部１４を図６の主軸３０を通る水平線上に二個付加して計四個とする、
(44)円板状基部１２ａに代えて円柱状基部を用いる、
(45)円板状基部１３ａ，１４ａに代えて円柱状基部を用いる、
ようにしてもよい。
【００４４】
また、上述した各数値も一例であって、例えば永久磁石１２ｂ，１３ｂ，１４ｂの上記傾斜配置角度も少なくとも、
・永久磁石１２ｂは「５７度〜６７度」
・永久磁石１３ｂは「４７度〜５７度」
・永久磁石１４ｂは「２７度〜３７度」
の範囲に設定すれば、中央回転部１２を回転させることができる。
【図面の簡単な説明】
【００４５】
【図１】風力発電装置全体の外観を示す説明図である。
【図２】風力発電装置の永久磁石回転機構（その１）などの斜視状態を示す説明図である。
【図３】図２の永久磁石回転機構などの断面状態を示す説明図である。
【図４】図２の永久磁石回転機構の要部正面状態を示す説明図である。
【図５】風力発電装置の永久磁石回転機構（その２）などの断面状態を示す説明図である。
【図６】図５の永久磁石回転機構の要部正面状態を示す説明図である。
【図７】角状タイプの永久磁石（長方形状）単体を示す説明図である。
【符号の説明】
【００４６】
１０：永久磁石回転機構（その１：図２〜図４で使用）
１０’：永久磁石回転機構（その２：図５，図６で使用）
１１：フレーム
１２：中央回転部
１２ａ：円板状基部
１２ｂ：計１６枚の永久磁石
１２ｃ：周知のワンウェイクラッチ
１３：一対の外側小回転部
１３ａ：円柱状基部
１３ｂ：計３２枚（＝１６×２）の永久磁石
１３ｃ：固定軸
１３ｄ：周知のワンウェイクラッチ
１３ｅ：プーリ
１３ｆ：タイミングベルト
１４：一対の内側小回転部（図５，図６で使用）
１４ａ：円柱状基部
１４ｂ：計１６枚（＝８×２）の永久磁石
１４ｃ：固定軸
１４ｄ：周知のワンウェイクラッチ
１５：永久磁石のテーパ状端部（図７参照）
２０：プロペラ
３０：主軸
４０：周知の発電機
５０：カバー
６０：周知の尾翼
７０：支柱
Ａ：は主軸３０，中央回転部１２および内側小回転部１４の回転方向
Ｂ：外側小回転部１３の回転方向
Ｄ１：中央回転部１２の実質的直径（図４参照）
Ｄ２：外側小回転部１３の実質的直径（図４参照）
Ｄ３：内側小回転部１４の実質的直径（図６参照）
ｇ１：中央回転部１２の仮想円と外側小回転部１３の仮想円との最小間隔（図４参照）
ｇ２：中央回転部１２の仮想円と内側小回転部１４の仮想円との最小間隔（図６参照）
ｔ：永久磁石の厚み
Ｗ：永久磁石の幅
【図１】
2008045528.tif 000003
【図２】
2008045528.tif 000004
【図３】
2008045528.tif 000005
【図４】
2008045528.tif 000006
【図５】
2008045528.tif 000007
【図６】
2008045528.tif 000008
【図７】
2008045528.tif 000009